(57)【要約】      （修正有）【課題】上方への空気イオンの流れを発生させて、先提案技術では不充分であったイオン数の増加を図ることが可能な空気イオン生成方法及び生成器並びにセットを提供する。【解決手段】水を霧化し、衝突壁３に衝突させ、イオン化霧の流れを生じさせて該イオン化霧を空気中に供給する空気イオン生成方法において、前記衝突壁がパンチングメタル又は金網の如きエア抜き孔付き板であることを特徴とする空気イオン生成方法及び空気イオン生成器、並びに霧化器２と、この霧化器によって生じた霧を衝突させてイオン化霧を生じさせるパンチングメタル又は金網の如きエア抜き孔付き板から構成される衝突壁３と、この衝突壁の少なくとも表面、イオン化霧流路又は霧化する水を貯溜する水盤容器内に存在させる永久電気双極子結晶鉱物４とを有する空気イオン生成器セットである。【選択図】  図１
2005006819.tif 000002
【特許請求の範囲】
【請求項１】
水を霧化し、衝突壁に衝突させ、イオン化霧の流れを生じさせて該イオン化霧を空気中に供給する空気イオン生成方法において、前記衝突壁がパンチングメタル又は金網の如きエア抜き孔付き板であることを特徴とする空気イオン生成方法。
【請求項２】
永久電気双極子結晶鉱物を、前記衝突壁の少なくとも表面、イオン化霧流路、霧化する水を貯溜する水盤容器内のいずれかに存在させることを特徴とする請求項１に記載の空気イオン生成方法。
【請求項３】
衝突壁が伸縮材から成る衝突壁支持材によって支持されており、該衝突壁支持材の伸長又は縮小によって、前記衝突壁の高さ及び／又は位置を調整し、イオン化霧の生成量を増減させることを特徴とする請求項１又は２に記載の空気イオン生成方法。
【請求項４】
水盤容器内の水を霧化器を用いて霧化し、衝突壁に衝突させ、イオン化霧の流れを生じさせて、該イオン化霧を空気中に供給する空気イオン生成器において、前記衝突壁がパンチングメタル又は金網の如きエア抜き孔付き板であることを特徴とする空気イオン生成器。
【請求項５】
衝突壁の少なくとも表面、イオン化霧流路、霧化する水を貯溜する水盤容器内のいずれかに永久電気双極子結晶鉱物を存在させることを特徴とする請求項４に記載の空気イオン生成器。
【請求項６】
衝突壁に衝突した霧の一部が水盤容器内の水に滴下還流する構成であることを特徴とする請求項４又は５に記載の空気イオン生成器。
【請求項７】
衝突壁が伸縮材から成る衝突壁支持材によって支持されていることを特徴とする請求項４〜６のいずれかに記載の空気イオン生成器。
【請求項８】
霧化器と、この霧化器によって生じた霧を衝突させてイオン化霧を生じさせるパンチングメタル又は金網の如きエア抜き孔付き板から構成される衝突壁と、この衝突壁の少なくとも表面、イオン化霧流路又は霧化する水を貯溜する水盤容器内に存在させる永久電気双極子結晶鉱物とを有する空気イオン生成器セット。
【発明の詳細な説明】
【０００１】
【発明の属する技術分野】
本発明は空気イオン生成方法及び生成器並びにセットに関し、詳しくはイオン化霧による効率的な空気イオンの生成、及び生物が持つ機能を刺激する所謂ホルミシス（ｈｏｒｍｅｓｉｓ）効果が得られる空気イオン生成方法及び生成器並びにセットに関する。
【０００２】
【従来の技術】
霧ないし水蒸気を用いる室内ないし車内用空気清浄器機や加湿機器類において、イオンを生成させる技術が用いられるようになり、例えば、トルマリン等の永久電気双極子結晶鉱物を水に触れさせてイオンを生成させる技術（例えば、特許文献１参照。）や、酸化ラジウム等の永久電気双極子結晶鉱物から成る放射性粒体を水面下に浮遊させて、脱臭に供する技術（例えば、特許文献２参照。）や、水盤容器内の水中に、水中イオン溶出石と称される永久電気双極子結晶鉱物を浸漬して、イオン生成水と成し、これを高周波ないし超音波発振装置にて霧化し、空気中にイオンを供給する技術（例えば、特許文献３参照。）が知られている。
【０００３】
これらはいずれも、永久電気双極子結晶鉱物を水中に存在させることによってイオン生成水を生じさせ、このイオン生成水を、霧ないし水蒸気等として空気中に供給する技術である。
【０００４】
ところで、いわゆる滝壷周辺ではイオン数は、プラスイオン、マイナスイオンともに１万個／ｃｍ３程度が存在することが知られており、前記従来技術によれば遠く及ばない。
【０００５】
そこで本発明者は、霧を衝突壁に衝突させてイオン化霧の流れを生じさせる技術を先に提案してイオン数の増加を図った（特許文献４参照）。
【０００６】
【特許文献１】特開平１０−３６９８７（特に図７）
【特許文献２】実用新案登録２５９８７３０（特に図３）
【特許文献３】特開２００１−２５８９８５（特に図２）
【特許文献４】特願２００２−３２４９７８
【０００７】
【発明が解決しようとする課題】
しかし、本発明者のその後の実験によって、横方向への空気イオンの流れについては充分な効果が得られることは判明したが、衝突壁の上方へはイオン化霧の流れが生じないため、イオン数の増加の点で未だ不充分であることが判明した。
【０００８】
そこで本発明の技術的課題は、上方への空気イオンの流れを発生させて、先提案技術では不充分であったイオン数の増加を図ることが可能な空気イオン生成方法及び生成器並びにセットを提供することである。
【０００９】
【課題を解決するための手段】
上記本発明の課題は、下記構成によって達成される。
【００１０】
１．水を霧化し、衝突壁に衝突させ、イオン化霧の流れを生じさせて該イオン化霧を空気中に供給する空気イオン生成方法において、前記衝突壁がパンチングメタル又は金網の如きエア抜き孔付き板であることを特徴とする空気イオン生成方法。
【００１１】
２．永久電気双極子結晶鉱物を、前記衝突壁の少なくとも表面、イオン化霧流路、霧化する水を貯溜する水盤容器内のいずれかに存在させることを特徴とする上記１に記載の空気イオン生成方法。
【００１２】
３．衝突壁が伸縮材から成る衝突壁支持材によって支持されており、該衝突壁支持材の伸長又は縮小によって、前記衝突壁の高さ及び／又は位置を調整し、イオン化霧の生成量を増減させることを特徴とする上記１又は２に記載の空気イオン生成方法。
【００１３】
４．水盤容器内の水を霧化器を用いて霧化し、衝突壁に衝突させ、イオン化霧の流れを生じさせて、該イオン化霧を空気中に供給する空気イオン生成器において、前記衝突壁がパンチングメタル又は金網の如きエア抜き孔付き板であることを特徴とする空気イオン生成器。
【００１４】
５．衝突壁の少なくとも表面、イオン化霧流路、霧化する水を貯溜する水盤容器内のいずれかに永久電気双極子結晶鉱物を存在させることを特徴とする上記４に記載の空気イオン生成器。
【００１５】
６．衝突壁に衝突した霧の一部が水盤容器内の水に滴下還流する構成であることを特徴とする上記４又は５に記載の空気イオン生成器。
【００１６】
７．衝突壁が伸縮材から成る衝突壁支持材によって支持されていることを特徴とする上記４〜６のいずれかに記載の空気イオン生成器。
【００１７】
８．霧化器と、この霧化器によって生じた霧を衝突させてイオン化霧を生じさせるパンチングメタル又は金網の如きエア抜き孔付き板から構成される衝突壁と、この衝突壁の少なくとも表面、イオン化霧流路又は霧化する水を貯溜する水盤容器内に存在させる永久電気双極子結晶鉱物とを有する空気イオン生成器セット。
【００１８】
【発明の実施の形態】
以下、添付図面に基づき本発明について詳述する。
図１は本発明に係る空気イオン生成装置の原理を示す概略断面図、図２は霧発生ユニットの構成を説明する平面図である。
【００１９】
本発明に係るイオン生成装置は、水盤容器１、霧化器２、衝突壁３、永久電気双極子結晶鉱物４、台座部５とから主として構成されている。図１において、Ｗは水、６は衝突壁支持材、７はカバー体、８は水位センサー、９は３原色のＬＥＤ、１０はパッキン、１１はナット、１２はコネクタ、１３はコードである。
【００２０】
本発明に用いられる霧化器２は、霧を発生させる高周波ないし超音波発振器に限らず、水蒸気（湯気）を発生させる電熱ヒータであってもよいし、空気中に水滴を噴射する噴射器であってもよい。
【００２１】
本発明における衝突壁３に衝突させる霧とは、いわゆる霧だけでなく、水蒸気や水滴であってもよく、衝突壁３に衝突させて霧を生じさせることができるものを含む。
【００２２】
本発明に用いられる衝突壁３は、パンチングメタル又は金網の如きエア抜き孔付き板から成っており、霧化器２によって生じた霧を空気中において衝突させるための壁体である。衝突した霧の多くは拡散し、一部は衝突壁３のエア抜き孔を通過した後に拡散する。更に一部は拡散することなく水滴となり滴下することとなってもよい。この滴下した水は水盤容器１中の水Ｗに還流することが好ましい。
【００２３】
衝突壁３の材質としては、ＳＵＳ３０４に代表されるステンレスや、アルミニウム、銅等の金属が好ましいが、合成樹脂等の他の材質であってもよい。また、該衝突壁３のエア抜き孔としてはφ１．０ｍｍ〜φ２．０ｍｍが好ましい。
【００２４】
衝突壁３は、水盤容器１の底部に立設されたコイルスプリング等の伸縮材から成る衝突壁支持材６の上に載置されることによって高さ及び／又は位置調整可能であることが好ましい。伸縮材から成る衝突壁支持材６を伸延又は縮小させて、高さ及び／又は位置調整することにより、霧化器２からの距離や相対位置を調整することでイオン化霧の生成量を増減させることができる。更に、該衝突壁３の上方に配設されたカバー体７により、衝突壁支持材６上に載置した衝突壁３を押えると共に、イオン化霧の流れを整える機能を有する。
【００２５】
尚、伸縮材から成る衝突壁支持材６の下端部は、後述するユニット体Ｕを囲撓しており、下端が水盤容器１の底部に立設している。
【００２６】
永久電気双極子結晶鉱物４は、水Ｗ乃至は霧に接触する部位、即ち、前記衝突壁３の少なくとも表面、イオン化霧流路、霧化する水を貯溜する水盤容器１内（水中、水面上の壁面のいずれでもよい。）のいずれかに存在させられるが、好ましくは図１に示すように衝突壁３の上面に載置されることである。このとき、霧化器２によって生じた霧が永久電気双極子結晶鉱物４に直接当たる面積が増えるように載置部分の衝突壁３にエア抜き孔を多く又は大きく開けておくことが好ましい。尚、該永久電気双極子結晶鉱物４は、図１に示すような別体で形成したものを載置するのではなく、衝突壁３の表面等の霧の接触する部位に塗装によるラジウム焼き付けとして存在させることもできる。
【００２７】
本発明に用いられる永久電気双極子結晶鉱物４は、前記特許文献１〜３等に記載のイオン発生源となるものに限定されず、イオンを放出するものであれば公知のものを特別の制限なく用いることができ、例えば、モナズ鉱石、ヘルグソン鉱石、ラジウム鉱石、トルマリン、タウマリン、太陽石、花崗岩、硫黄石、長石、ルビー等の自然石、若しくは永久電気双極子モーメントを有する人口合成鉱物、又はそれ等の放射性焼成体や放射性樹脂成形体を用いることができる。中でも、僅かな水分でイオンを多く放出することから、モナズ鉱石、ヘルグソン鉱石、ラジウム鉱石、トルマリン、タウマリンが好ましく、特にモナズ鉱石、ヘルグソン鉱石、ラジウム鉱石がポロニウム２１０等を含有するため好ましい。
【００２８】
本発明では、イオン発生源として空気中に配置された永久電気双極子結晶鉱物４を用いるため、霧を衝突ないし接触・通過させるだけで半永久的に空気イオンを供給することができる。しかも、該永久電気双極子結晶鉱物４の放射性によりイオン化した霧の一部を水盤容器１中の水Ｗに滴下還流することで、水Ｗが腐り難くなるためメンテナンスが極めて容易である。
【００２９】
尚、永久電気双極子結晶鉱物４は、放射性物質であるため、法律に基づく制定レベル３７０ベクトル／ｇ以内を厳守することは勿論である。
【００３０】
本発明においては、永久電気双極子結晶鉱物４を土器・陶器・せっ器・磁器の原料土と混合した後に成形し焼成して得られる放射性焼成体を、衝突壁３の表面に配置したり、イオン化霧流路に配置したりすることが好ましい。尚、せっ器の場合、酸化焼成によって多孔質の素地を形成することとなる。
【００３１】
永久電気双極子結晶鉱物４をセラミック化するには、永久電気双極子結晶鉱物４を平均粒径０．３〜１００．０μｍの粉体とし、必要かつ充分な量（例えば５〜７０重量％）の該粉体と陶磁器素地用の粘土（平均粒径が１〜２００μｍ、例えば３０〜９５重量％）とを混合する。粘土としては木節粘土、蛙目粘土、及びカオリンが好ましい。
【００３２】
永久電気双極子結晶鉱物粉体と粘土とを混合した後、所望の形状に成形工程後、乾燥工程を経過して、焼成する。焼成温度は７００〜１３００℃の範囲が好ましい。尚、本発明の放射性焼成体には、０．１〜１０重量％のアルミニウム、ステンレス等の金属粉末、その他の添加物を含有していてもよい。
【００３３】
また、放射性樹脂成形体は、永久電気双極子結晶鉱物を、合成樹脂と混合して固めたものであってもよい。
【００３４】
上記放射性焼成体や放射性樹脂成形体は、その表面積を増大させるため凹凸状となし、衝突する霧のイオン数増加を図ることが好ましい。
【００３５】
本発明において、イオン化霧流路とは、衝突壁３に対する衝突によって生じたイオン化霧が室内ないし車内等の環境下に至るまでの流路を構成する部分を言い、例えば水盤容器１の内壁面を指す。
【００３６】
衝突壁３の少なくとも表面又はイオン化霧流路に永久電気双極子結晶鉱物４を存在させるには、上記放射性焼成体や放射性樹脂成形体を衝突壁３の表面（上面及び下面を含む）や水盤容器１内壁面の表面に配置する手段、永久電気双極子結晶鉱物４を衝突壁３の表面や水盤容器１内壁面の表面に溶射固着する手段、衝突壁３や水盤容器１そのものを放射性焼成体や放射性樹脂成形体で製作する手段など、いずれの方法によってもよい。尚、溶射は、セラミックなどのコーティング材料を加熱して微粒子状に溶かし、噴射することで皮膜を形成する技術であり、本発明においても、この技術を採用できる。
【００３７】
本明細書における水盤容器１とは、中に水Ｗを張って花を生け、又は盆石などを置く狭義の水盤に限らず、中に水Ｗを貯溜できると共に一部又は全部の上方を開放したタンク等の容器を意味するものであり、陶磁器、ガラス、真鍮、天然又は人造石、合成樹脂等の花器として一般的な材質によって形成されている。。
【００３８】
本発明に用いられる水Ｗは、水道水、井戸水、蒸留水、ナチュラルミネラルウォータ［ＡＯＤ（水生生物環境診断法）による例えば、ＡＯＤ３０００以上のミネラル含有天然水など。］、電気分解イオン水などいずれであってもよい。尚、水Ｗの補給については、所謂ニワトリの水飲方式による他、公知の手段を採用できる。また、本発明においては加湿効果を期待できるため、加湿器としての用途も採用できる。
【００３９】
水位センサー８は、水盤容器１内の水Ｗの水位を検知するものであり、水位が適正位置より下がった場合等にブザー及び／又は点滅ランプ等で知らせたり、或いは本装置を停止するものである。
【００４０】
３原色のＬＥＤ９は、水盤容器１内を幻想的に演出するためのものであり、制御部（図示せず）等によって点滅・点灯制御される。
【００４１】
尚、上述した霧化器２、水位センサー８、３原色のＬＥＤ９などは、図に示すように一体的にユニット化されてユニット体Ｕとされ、このユニット体Ｕが水盤容器１の底部に配設されており、このユニット体Ｕの下部に突設された螺旋Ｒ付きパイプＰが水盤容器１の底部に穿かれた透孔に貫通され、パッキン１０を介してナット１１によって防水固定されている。
【００４２】
尚また、霧化器２、水位センサー８、３原色のＬＥＤ９の制御部はユニット体Ｕに内蔵されていてもよいし、又は水盤容器１の底部に通された前記パイプＰ中を通じたコネクタ１２及び電気コード１３を介して外部に置かれてもよい。
【００４３】
【実施例】
以下、実施例を挙げて本発明を更に説明する。
上記説明した図１及び図２に示す装置を用いた。霧化器２としては超音波発振装置を用い、永久電気双極子結晶鉱物４としてはラジウム鉱石粉末を含有せしめたセラミックを用いた。
【００４４】
霧化器２を作動させ発振部を振動させることによって、霧を衝突壁３に衝突させたところ、該衝突壁３上面に載置した永久電気双極子結晶鉱物４に接触してイオン化霧となり、該イオン化霧の流れの多くは水盤容器１内に充満し、縁部から溢れ、室内の空気環境下に流れ出した。また、イオン化霧の流れの一部は衝突壁３のエア抜き孔を通過して上方に抜け、室内の上方部に拡散した。
【００４５】
この縁部から３０ｃｍ離開した位置とカバー体７の上方３０ｃｍにエアーイオンカウンタ（フィーサ株式会社製、正・負イオン同時検出式空気イオン計測器ＦＩＣ−２０００）を置いて正・負イオン類を計測したところ、霧化器２を作動する前が、正イオン数７０ｉｏｎｓ（個。以下同じ。）／ｃｍ３、負イオン数５０ｉｏｎｓ／ｃｍ３であった（測定室２５℃、５０％ＲＨ下の空気イオン数を示す。）ものが、正イオン数１１０００ｉｏｎｓ／ｃｍ３、負イオン数１３５００ｉｏｎｓ／ｃｍ３を示した。
【００４６】
一方、前記衝突壁３をいわゆるメクラ板に替え衝突壁３上方へのイオン化霧の流れを断ち、水盤容器１の縁部から溢れて横方向に拡散するだけの構成にした場合、室内の上方空気環境において、正イオン数、負イオン数とも５％以上減少した。
【００４７】
イオン化霧の流れを上方にも生じさせることにより、充分な量のイオン効果が得られることが判った。
【００４８】
永久電気双極子結晶鉱物４としての放射性焼成体を上記衝突壁３の上面に載置したことに代えて、水盤容器１の内壁表面に固着した場合及び水盤容器１水中に置いた場合も、縁部から離開した位置及び上方の双方位置において、正イオン数、負イオン数ともに本発明の効果が得られた。
【００４９】
【発明の効果】
本発明によれば、衝突壁よりも上方への空気イオンの流れを発生させて、イオン数の増加を図ることができ、従って、室内全域において滝壷周辺と同程度のイオン数を得ることが可能な空気イオン生成方法及び生成器並びにセットを提供することができ、また、イオン化霧の流れ（クラスタが小さい）を生じさせるため、滝壷周辺のような自然環境が得られ、所謂ホルミシス効果を期待できる。
更に本発明に係るセットによれば、好みの水盤容器を選び、これに水を張りセットするだけで、本発明に係る空気イオン生成方法及び生成器の作用効果が得られる。
【図面の簡単な説明】
【図１】本発明に係る空気イオン生成装置の原理を示す概略断面図
【図２】霧発生ユニットの構成を説明する平面図
【符号の説明】
１  水盤容器
２  霧化器
３  衝突壁
４  永久電気双極子結晶鉱物
５  台座部
６  衝突壁支持材
７  カバー体
８  水位センサー
９  ３原色のＬＥＤ
１０  パッキン
１１  ナット
１２  コネクタ
１３  電気コード
Ｐ  パイプ
Ｒ  螺旋
Ｕ  ユニット体
Ｗ  水
【図１】
2005006819.tif 000003
【図２】
2005006819.tif 000004